(57)【特許請求の範囲】
【請求項１】
ＧＰＳ機能を備えた携帯型端末装置およびそのユーザが登録されると共に、登録されたユーザ毎に情報を保存できるように設定された第１の記憶手段と、
複数の事業者に関してそれぞれ少なくともその事業者の店舗の位置情報が登録される第２の記憶手段と、
前記第１の記憶手段に登録された携帯型端末装置から定期的に出力された位置情報を取得して第１の記憶手段に蓄積する位置情報登録処理手段と、
前記第２の記憶手段に登録された事業者の端末装置から、当該事業者の店舗で実施するイベントを告知する情報の配信を求める配信リクエストを受け付けるリクエスト受付手段と、
前記リクエスト受付手段が配信リクエストを受け付けたことに応じて、配信リクエストを出した事業者の店舗の位置情報に基づき分析対象エリアを設定し、複数のユーザにつき前記第１の記憶手段に蓄積された位置情報群が示すこれらのユーザ毎の移動履歴を分析して、前記分析対象エリアに入ったことがあるユーザの中から配信対象者を選択する対象者選択手段と、
前記対象者選択手段により選択された配信対象者の携帯型端末装置に前記配信リクエストに基づく告知情報を配信する情報配信手段とを具備する、情報提供システム。
【請求項２】
前記対象者選択手段は、リクエスト受付手段が受け付けた配信リクエストからイベントの実施期間を認識して、その実施期間に基づき所定長さの分析対象期間を設定し、前記複数のユーザ毎に、前記分析対象期間に対応する過去の期間内に第１の記憶手段に蓄積された位置情報を用いて当該期間内にユーザが前記分析対象エリアに進入した頻度を求め、この値があらかじめ定めた基準値を上回るユーザを配信対象者として選択する、請求項１に記載された情報提供システム。
【請求項３】
前記対象者選択手段は、リクエスト受付手段が受け付けた配信リクエストからイベントの実施期間を認識して、その実施期間に基づき所定長さの分析対象期間を設定し、前記複数のユーザ毎に、前記分析対象期間に対応する過去の期間内に第１の記憶手段に蓄積された位置情報を用いて当該期間内にユーザが前記分析対象エリアに進入した頻度と分析対象エリアでの滞在時間とを求め、これらの値がそれぞれあらかじめ定めた基準値を上回るユーザを配信対象者として選択する、請求項１に記載された情報提供システム。
【請求項４】
ＧＰＳ機能を備えた携帯型端末装置およびそのユーザが登録されると共に、登録されたユーザ毎に情報を保存できるように設定された第１の記憶手段と、
複数の事業者に関してそれぞれ少なくともその事業者の店舗の位置情報が登録される第２の記憶手段と、
前記第１の記憶手段に登録された携帯型端末装置から定期的に出力された位置情報を取得して第１の記憶手段に蓄積する位置情報登録処理手段と、
前記第２の記憶手段に登録された事業者の端末装置から、当該事業者の店舗で実施するイベントを告知する情報の配信を求める配信リクエストを受け付けるリクエスト受付手段と、
前記第２の記憶手段に位置情報が登録された各店舗にそれぞれその位置情報に基づき少なくとも１つの分析対象エリアを対応づけて、複数のユーザにつき前記第１の記憶手段に蓄積された位置情報群が示すこれらのユーザ毎の移動履歴を分析して、分析対象エリア毎に当該分析対象エリアに入ったことのあるユーザの中から配信対象者を選択する処理を、定期的に実施する対象者選択手段と、
各分析対象エリアに対して対象者選択手段が選択した配信対象者を記憶する第３の記憶手段と、
前記リクエスト受付手段が配信リクエストを受け付けたことに応じて、配信リクエストが示すイベントを実施する店舗に対応する分析対象エリアにつき前記第３の記憶手段が記憶する配信対象者の携帯型端末装置に、前記配信リクエストに基づく告知情報を配信する情報配信手段とを具備する、情報提供システム。
【請求項５】
前記対象者選択手段は、各分析対象エリアに入ったことのあるユーザをそれぞれ複数の時間帯に分けて認識して、時間帯毎に配信対象者を選択し、
前記第３の記憶手段は、各分析対象エリアに対して選択された配信対象者をその選択に係る時間帯に対応づけて記憶し、
前記情報配信手段は、前記リクエスト受付手段が受け付けた配信リクエストからイベントの実施期間を認識して、前記配信リクエストが示すイベントを実施する店舗に対応する分析対象エリアにつき前記第３の記憶手段が記憶する配信対象者のうち、前記イベントの実施期間に適合する時間帯に対応する配信対象者を前記告知情報の配信対象者に設定する、請求項４に記載された情報提供システム。
【発明の詳細な説明】
【技術分野】
【０００１】
本発明は、商品やサービスを提供する店舗を運営する事業者、およびこれらの店舗を利用する利用者の双方と通信をし、利用者または事業者に有用な情報を提供するシステムに関する。
【背景技術】
【０００２】
商品を購入しようとするユーザの端末装置に、インターネットなどを用いて、商品を安く購入できる店舗や効率の良い方法で買い物をすることができる店舗などを知らせる技術が従来より開発されている。
【０００３】
たとえば特許文献１には、登録されているユーザの端末装置からの商品要求条件を受け付けて、ユーザの自宅に対応する地域の店舗の中から商品要求条件に応じた店舗を抽出してユーザの端末装置に返信することが記載されている。また同文献には、ユーザの端末装置に送信される情報の例として、購入予定の商品の代金の合計値、購入代金と交通費との差額、店舗までの所要時間などがあげられている。
【０００４】
特許文献２には、登録されているユーザの端末装置から、そのユーザが購入したい商品に関する情報の送信を受け付けて、ユーザの自宅から所定の範囲内で該当する商品を取り扱う店舗およびその商品の価格を抽出して抽出結果を端末装置に送信し、端末装置に各店舗を価格に従って一覧表示させることが記載されている。さらに特許文献２には、一覧表示の名から選択された店舗について、ユーザの所在地と店舗の所在地との間の距離および経路を求めてユーザの端末装置に表示させることが記載されている。
【先行技術文献】
【特許文献】
【０００５】
【特許文献１】特開２００５−２５０５８６号公報
【特許文献２】特開２００８−９８９０号公報
【発明の概要】
【発明が解決しようとする課題】
【０００６】
特許文献１，２に記載された発明は、いずれもユーザの居住地区の周辺で条件に応じた店舗を検索しているが、これらの方法では、住所など、ユーザにより登録された情報から割り出される地域内の店舗の情報を得ることができるだけとなる。
通勤や通学などの目的で移動し、その移動経路の最寄りの店に立ち寄る人は多い。また休日に少し遠くの店舗に出向いて買い物をしたり、レストランや映画館などお気に入りの場所を頻繁に訪れる人も多い。これらの人々が、自身がよく訪れる地域の店舗の情報を取得するには、その地域を自分で登録しなければならず、煩雑な思いをさせてしまう。
【０００７】
本発明は上記の問題点に着目し、ＧＰＳ機能を備えた携帯型端末装置から出力される位置情報を利用して、携帯型端末装置のユーザが登録処理を行わなくとも、自分がよく訪れる地域や日頃の移動ルートの周辺に存在する様々な店舗の情報を取得できるようにすると共に、店舗にとっても来客数や売上の上昇につながるような情報発信を行うことを、課題とする。
【課題を解決するための手段】
【０００８】
上記の課題を解決するための第１の情報提供システム（以下「第１のシステム」という。）は、ＧＰＳ機能を備えた携帯型端末装置およびそのユーザが登録されると共に、登録されたユーザ毎に情報を保存できるように設定された第１の記憶手段と、複数の事業者に関してそれぞれ少なくともその事業者の店舗の位置情報が登録される第２の記憶手段と、第１の記憶手段に登録された携帯型端末装置から定期的に出力された位置情報を取得して第１の記憶手段に蓄積する位置情報登録処理手段と、第２の記憶手段に登録された事業者の端末装置から、当該事業者の店舗で実施するイベントを告知する情報の配信を求める配信リクエストを受け付けるリクエスト受付手段と、リクエスト受付手段が配信リクエストを受け付けたことに応じて、配信リクエストを出した事業者の店舗の位置情報に基づき分析対象エリアを設定し、複数のユーザにつき第１の記憶手段に蓄積された位置情報群が示すこれらのユーザ毎の移動履歴を分析して、分析対象エリアに入ったことがあるユーザの中から配信対象者を選択する対象者選択手段と、対象者選択手段により選択された配信対象者の携帯型端末装置に配信リクエストに基づく告知情報を配信する情報配信手段とを具備する。
【０００９】
上記のシステムによれば、ＧＰＳ機能を備えた携帯型端末装置を持つユーザの日常の移動履歴に基づいて事業者の店舗の周辺のエリアを訪れるか通過することが多いユーザを選択し、これらのユーザを対象に告知情報を配信することができる。このようにすれば、店舗の周囲のエリアを訪れる可能性の高いユーザに限定して告知情報を配信することができるので、告知に伴う来店客の増加を見込むことができる。また、ユーザにとっては、エリアの登録処理をすることなく、自分が良く訪れる地域に関する有用な情報を得ることができる。
【００１０】
上記のシステムの第１形態では、対象者選択手段は、リクエスト受付手段が受け付けた配信リクエストからイベントの実施期間を認識して、その実施期間に基づき所定長さの分析対象期間を設定する。さらに複数のユーザ毎に、分析対象期間に対応する過去の期間内に第１の記憶手段に蓄積された位置情報を用いて当該期間内にユーザが分析対象エリアに進入した頻度を求め、この値があらかじめ定めた基準値を上回るユーザを配信対象者として選択する。この実施形態によれば、イベントが実施される期間またはその前の時間帯に店舗の周辺を訪れるか通過する可能性が高いユーザに的を絞って告知情報を配信することが可能になる。
【００１１】
上記のシステムの第２形態では、対象者選択手段は、第１形態と同様の処理により分析対象期間を設定した後に、複数のユーザ毎に、分析対象期間に対応する過去の期間内に第１の記憶手段に蓄積された位置情報を用いて当該期間内にユーザが分析対象エリアに進入した頻度と分析対象エリアでの滞在時間とを求め、これらの値がそれぞれあらかじめ定めた基準値を上回るユーザを配信対象者として選択する。
この実施形態によれば、イベントが実施される期間またはその前の時間帯に店舗の周辺を訪れてある程度の時間滞在する可能性が高いユーザに的を絞って告知情報を配信することが可能になる。
【００１２】
本発明による第２の情報提供システム（以下、「第２のシステム」という。）は、第１のシステムと同様の第１の記憶手段、第２の記憶手段、位置情報登録手段、およびリクエスト受付手段を具備するほか、以下の対象者選択手段、第３の記憶手段、情報配信手段を具備する。
【００１３】
対象者選択手段は、第２の記憶手段に位置情報が登録された各店舗にそれぞれその位置情報に基づき少なくとも１つの分析対象エリアを対応づけて、複数のユーザにつき前記第１の記憶手段に蓄積された位置情報群が示すこれらのユーザ毎の移動履歴を分析して、分析対象エリア毎に当該分析対象エリアに入ったことのあるユーザの中から配信対象者を選択する処理を、定期的に実施する。第３の記憶手段は、各分析対象エリアに対して対象者選択手段が選択した配信対象者を記憶する。
情報配信手段は、リクエスト受付手段が配信リクエストを受け付けたことに応じて、配信リクエストが示すイベントを実施する店舗に対応する分析対象エリアにつき第３の記憶手段に記憶する配信対象者の携帯型端末装置に、配信リクエストに基づく告知情報を配信する。
【００１４】
上記第２のシステムによれば、分析対象エリア毎に、そのエリアを訪れたり通過したことのあるユーザの中から分析対象者を選択する処理を定期的に実施して、その処理結果を保存し、事業者からの配信リクエストを受けると、そのリクエストが示すイベントを実施する店舗に対応する分析対象エリアにつき選択している配信対象者に告知情報を配信する。したがって第１のシステムと同様に、イベントが行われる店舗の周辺のエリアを訪れるか通過することが多いユーザに対象を絞り込んで告知情報を配信することができる。また事前に配信対象者を選択することよって、配信リクエストに速やかに対応することが可能になり、イベントの開始直前の配信にも対応することが可能になる。
【００１５】
第２のシステムの一実施形態では、対象者選択手段は、各分析対象エリアに入ったことのあるユーザをそれぞれ複数の時間帯に分けて認識して、時間帯毎に配信対象者を選択し、第3の記憶手段は、各分析対象エリアに対して選択された配信対象者をその選択に係る時間帯に対応づけて記憶する。また情報配信手段は、リクエスト受付手段が受け付けた配信リクエストからイベントの実施期間を認識して、配信リクエストが示すイベントを実施する店舗に対応する分析対象エリアにつき第３の記憶手段が記憶する配信対象者のうち、イベントの実施期間に適合する時間帯に対応する配信対象者を告知情報の配信対象者に設定する。
【００１６】
上記の実施形態によれば、各分析対象エリアの配信対象者を、各人が分析対象エリアを訪問または通過する時間帯に対応づけて記憶しておき、その中から配信リクエストが示すイベントが実施される期間に適合する時間帯に対応する配信対象者に対象を絞り込んで告知情報を配信することができる。したがって、イベントが実施される期間に当該イベントを実施する店舗の周辺にいる可能性の高い人に告知情報を配信することが可能になる。
【００１７】
なお、第1、第２のシステムとも、告知情報は、イベントの開始の直前に配信しても良いが、これに限らず、ある程度の余裕時間をおいて配信してもよい。また配信時期を事業者が選択できるようにしてもよく、複数回の配信を行ってもよい。また同一地区内にある複数の店舗に関する告知情報をまとめて配信してもよい。
【発明の効果】
【００１８】
本発明によれば、店舗の周辺エリアに入る可能性が高いユーザを高い確度で抽出して告知情報を配信することができるので、その告知情報に応じて来店するユーザの割合を高めることができ、事業者の集客数や売上を向上することができる。また、携帯型端末装置のユーザは、エリアの登録処理を行わなくとも、自身の移動経路の周辺にある店舗の有用な情報を得ることができる。よって、ユーザが来店可能な地域で得られる様々な特典や全く知らない店舗に関する情報を取得することができ、ユーザにとって楽しみな情報を提供することができる。
【図面の簡単な説明】
【００１９】
【図１】情報提供システムの適用例を示す図である。
【図２】告知情報の具体例を示す図である。
【図３】情報提供システムの機能ブロック図である。
【図４】配信リクエストの構成例とこの配信リクエストから設定されるユーザ分析条件の具体例を示す図である。
【図５】ユーザ分析条件の設定処理に関するフローチャートである。
【図６】配信対象者の検索処理に関するフローチャートである。
【図７】配信対象者テーブルの構成例を示す図である。
【図８】分析レポートの作成処理に関するフローチャートである。
【発明を実施するための形態】
【００２０】
図１は、情報提供システムの適用例を示す。
この実施例の情報提供システム１は、ＧＰＳ機能を備えた携帯型端末装置２（以下「携帯端末２」と略す。）を持つユーザに様々な店舗で実施されるイベントを告知すると共に、各店舗にもそれぞれの商圏を訪れるユーザに関する情報を提供するものである。情報提供システムには、あらかじめ情報提供を希望するユーザの携帯端末２や告知の対象となる店舗の情報が多数登録される。
【００２１】
情報提供システム１は、各携帯端末２や各店舗の端末装置３（以下「店舗端末３」という。）のほか、位置情報管理システム４と通信を行う。
【００２２】
各携帯端末２は、ユーザが締結した契約に基づき、一定の時間毎（たとえば１０分ごと）に図示しないＧＰＳ衛星に位置情報を問い合わせし、取得した位置情報を位置情報管理システム４に送信するように動作する。位置情報は、緯度および経度ならびに時刻情報（年度および月日を含む。）の組み合わせにより表される。この時刻情報付きの位置情報は位置情報管理システム４から情報提供システム１へと転送され、ユーザ毎に蓄積される。
なお、位置情報管理システム４でも、位置情報を蓄積すると共に、適宜、携帯端末２からの問い合わせに応じて、送信中の位置情報に基づき、ナビゲーション用の地図情報を送信するなどの処理を行う。また、位置情報管理システム４から情報提供システム１への位置情報の送信は、ある程度の情報が蓄積される周期に従って行ってもよい。
【００２３】
店舗端末３から情報提供システム１には、適宜、イベントの告知情報の配信を求める要求（以下、「配信リクエスト」という。）が送信される。情報提供システム１は、この配信リクエストに応じてシステム内に蓄積された位置情報を用いて告知対象の携帯端末２を選択し、選択された携帯端末２に告知情報を配信する。
【００２４】
図２は、携帯端末２に送信される告知情報の一例を示す。
この告知情報は、携帯端末２の電子メールまたはアラート機能を利用して送信される。携帯端末２では、受信した告知情報をメモリに格納すると共に、表示部に特別の着信マークを表示する。この表示に気づいたユーザが呼び出し操作を行うことによって、表示部には、図２に示すような内容の情報が表示される。
【００２５】
この実施例では、店舗の担当者により作成された告知情報の内容がそのまま配信されるものとするが、これに限らず、店舗端末３からの配信リクエストを情報提供システム１に登録されているテンプレートにあてはめることにより、情報提供システム１で告知情報を編集してもよい。
【００２６】
この実施例の告知情報は、店舗で実施されるイベントを知らせるものである。イベントの内容は店舗の業種によって異なるが、たとえば小売店であれば、図２の例のようにタイムセールの開催を知らせる情報や、期間限定の値下げ情報を作成することができる。またレストランや美容院などのサービス業種の店舗でも、割引サービスの実施や期間限定のメニューを知らせる情報を作成することができる。また、タレントが来店することや先着何名かにプレゼントを渡すことを知らせる情報を作成することもできる。また、告知情報には、店舗の周辺の地図や割引クーポンやプレゼントへの引き替え券などが格納された画像または２次元コードなどを添付してもよい。また店舗のウェブページへのリンクを設定してもよい。
【００２７】
図３は、情報提供システム１が備える主要な機能を示す。
この情報提供システム１は、１台または複数台のコンピュータにより構成されるもので、様々な機種の携帯端末２や店舗端末３との通信ができるように設計される。またこの情報提供システム１には、ユーザ別データベース１００および店舗別データベース１０１が設けられるほか、これらに対する登録処理部１１，１２，１３，１４、配信リクエスト受付部１５、配信対象者検索部１６、告知情報配信部１７、分析レポート作成部１８、レポート配信部１９などの機能が、プログラムにより設定される。
【００２８】
ユーザ別データベース１００には、携帯端末２のユーザの個人情報を登録するためのユーザリストと、ユーザリストに登録されたユーザ別に設定された専用フォルダとが含まれる。ユーザ情報登録処理部１１は、告知情報の配信を希望するユーザからのアクセスを受け付けて、名前、住所、メールアドレスなどの個人情報を取得し、これらをユーザリストに格納する。またユーザ情報登録処理部１１は、新規登録されたユーザ用の専用フォルダをユーザ別データベース１００内に作成する処理を実行する。
なお、上記のユーザリストやユーザ毎の専用フォルダは、１つのメモリに限らず、複数のメモリに分散して格納してもよい。
【００２９】
位置情報登録処理部１２は、位置情報管理システム４からの位置情報の送信を受け付けて、受信した情報をユーザ別に、該当する専用フォルダに格納する。なお、この実施例の専用フォルダには、位置情報を蓄積するフォルダと次に述べる買い物メモ情報を蓄積するフォルダとが含まれ、前者のフォルダは過去に遡って一定期間（たとえば６ヶ月）以内の位置情報を蓄積できるように設定されている。
【００３０】
買い物メモ情報登録処理部１３は、「買い物メモアプリ」と呼ばれるアプリケーションが搭載された携帯端末２から、このアプリケーションが管理する買い物メモ情報の送信を受け付け、これを該当する専用フォルダに格納する。
「買い物メモアプリ」とは、購入予定の商品などを忘れないように入力して保存するためのアプリケーションである。本実施例では、ユーザが許可していることを条件に、そのユーザの携帯端末２の買い物メモアプリに情報が入力される都度、または定期的に、買い物メモアプリに入力された買い物メモ情報を情報提供システム１に送信するようにしている。
【００３１】
店舗別データベース１０１には、情報提供システム１の利用契約を締結した店舗毎に、処理に必要な情報が登録される。登録情報には、店舗名、店舗の所在地（具体的な住所のほか、緯度および経度の組み合わせも含む。）、ログイン用のパスワードやユーザコードが含まれる。また、配信に関する条件を登録することもできる。たとえば、告知情報の配信対象者の年齢層や性別を登録することができる。また後述する分析対象エリアの広さを指定する情報を登録してもよい。
【００３２】
上記した各種の情報は店舗情報登録処理部１４によって店舗別データベース１０１に登録される。なお、登録対象の情報は店舗端末３から送信しても良いが、その場合には店舗情報登録処理部１４は、まず仮登録処理を実施し、人的な手続が完了したことに応じて仮登録された情報を本登録する。
【００３３】
店舗別データベース１０１への登録が完了した店舗の店舗端末３がシステムにログインすると、配信リクエスト受付部１５は、この店舗端末３に配信リクエストの入力用の画面情報を提示して、配信リクエストの送信を受け付ける。この配信リクエストには、配信対象の告知情報のほか、告知対象のイベントが実施される期間、配信を希望する時刻などが含まれる。
【００３４】
配信対象者検索部１６は、配信リクエスト受付部１５が店舗端末３から受け付けた配信リクエストの内容を解析して、配信対象のユーザを分析する条件（以下、「ユーザ分析条件」という。）を決定する。この条件には、イベントの期間から割り出された分析対象期間と店舗の所在地から割り出された分析対象エリアとが含まれる。分析対象エリアの範囲は、通常は、店舗別データベース１０１に登録されている店舗所在地を中心とする一定の半径の円により設定されるが、告知の時期からイベントの開始時刻までの時間長さに応じて分析対象エリアの半径を変更してもよい。または店舗端末３からの配信リクエストによって分析対象エリアの拡大や縮小を指定し、この指定に応じた分析対象エリアを設定してもよい。また、分析対象エリアは円形状に限らず、市町村や区などの住所区分や番地に従って設定してもよい。
【００３５】
配信対象者検索部１６は、設定したユーザ分析条件によりユーザ別データベース１００内に蓄積された位置情報を分析し、分析対象期間内に分析対象エリアにいる可能性が高いユーザを抽出する。
【００３６】
告知情報配信部１７は、配信リクエスト受付部１５から配信リクエスト中の告知情報や配信時刻の提供を受けて、告知情報を、配信対象検索部１６により抽出されたユーザ宛ての送信情報に編集する。そして配信時刻が到来すると、抽出されたユーザの携帯端末２に送信情報を一斉配信する。前記したように、配信された情報は、各携帯端末２に受け入れられて、ユーザの呼び出し操作に応じて表示部に表示される。
【００３７】
分析レポート作成部１８は、詳細は後記するが、店舗別データベース１０１およびユーザ別データベース１００の情報を解析して、登録されている店舗毎に、その店舗の周辺を訪れることが多いユーザを割り出し、これらのユーザの情報を分析してレポート情報を作成する。このレポート情報には、ユーザの買い物メモ情報の分析結果も含まれる。店舗毎のレポート情報はレポート配信部１９に渡され、該当する店舗端末３へと送信される。
【００３８】
次に、配信リクエストに応じて告知情報の配信対象者を選択する方法について詳細に説明する。まず図４は、図２に示した告知情報の元となる配信リクエストと、この配信リクエストから導出されたユーザ分析条件（分析対象期間および分析対象エリア）の具体例である。また図５は、ユーザ分析条件の設定に関する処理の手順を示し、図６は配信対象者を検索する処理の手順を示す。
【００３９】
まず図５を参照して説明する。この処理のステップＳ１およびＳ２は、配信リクエスト受付部１５により実施されるものである。配信リクエスト受付部１５は、配信リクエストを受信すると、まずこのリクエストに含まれる情報を種類毎に抽出する（ステップＳ１）。つぎに、配信リクエストを送信した店舗について、店舗別データベース１０１から店舗名や所在地などの登録情報を読み出す（ステップＳ２）。
【００４０】
この後は配信対象者検索部１６の処理に移行する。配信対象者検索部１６は、配信リクエストから抽出された情報や、店舗別データベース１０１から読み出された登録情報に分析対象エリアの設定条件が含まれているかどうかをチェックする（ステップＳ３）。設定条件が含まれていると判別した場合には、その設定条件に従って分析対象エリアを設定し（ステップＳ３が「ＹＥＳ」でステップＳ４へ）、設定条件が含まれていない場合には、デフォルトの条件に従って分析対象エリアを設定する(ステップＳ３が「ＮＯ」でステップＳ５へ）。なお、この実施例の分析対象エリアは、図４に示すように、エリアの中心点を示す位置情報（緯度と経度との組み合わせ）と半径（中心点からエリアの端縁までの距離）とにより表されるが、先にも述べたとおり、分析対象エリアの情報は、これに限定されるものでない。
【００４１】
さらにステップＳ６において、配信対象者検索部１６は、配信リクエストに含まれているイベントの実施期間や配信時刻に基づいて分析対象期間を設定する。この分析対象期間の設定には、告知の内容に応じて何通りかのルールが設けられる。
【００４２】
たとえば、図４の配信リクエストは、タイムセールの案内の告知を求めるものであり、イベントの実施期間は『２０１１年２月２２日（火曜日）の１８：００〜２０：００』である。このような内容の配信リクエストに対しては、分析対象エリア内にいる人が店舗に到着するのに要する時間などを考慮して、イベントの開始時刻より所定時間前の時刻からイベントの終了時刻までを分析対象期間とする。この結果、図４の例では、１７時から２０時までの時間帯が分析対象期間に設定されている。またイベントの開催日が火曜日であることから、分析対象期間には「平日」という情報が付加されている。
【００４３】
一方、トークショーなど開始前に現場に到着する必要があるイベントや先着順のサービスがあるイベントでは、分析対象期間は、イベントの開始期間より前に終了するように設定される。また配信時刻がイベントの開始の直前である場合には、その配信時刻のやや前からイベントの開始時刻までの短い期間に限定して分析対象期間を設定する。
【００４４】
なお、図４の例の配信リクエストには、告知情報の配信時刻が含まれているが、配信リクエストで配信時刻が指定されていない場合には、イベントの開始時刻より一定の時間前を配信時刻に設定してもよい。
【００４５】
また図４のように、１日のうちの限定された数時間にイベントが実施されるのではなく、日の単位でイベントが実施される場合には、イベントが実施される曜日と店舗の営業時間とに基づき、「火曜日の１０時から２０時」のように分析対象期間を設定する。また、週や月の単位でイベントが実施される場合には、曜日を特定せずに店舗の営業時間のみを分析対象期間に設定する。
【００４６】
次に、告知情報の配信対象者を選択する処理について説明する。
配信対象者検索部１６は、上記の分析対象期間および分析対象エリアを用いてユーザ別データベース１００の位置情報群を検索するが、この検索は、イベントの当日の分析対象期間中に分析対象エリア内に入ったユーザを検出するものではなく、分析対象期間に対応する過去の時間帯に分析対象エリアを訪れるか通過したことのあるユーザの中から、イベント当日の分析対象期間内に分析対象エリアに含まれる可能性の高いユーザを検出するものである。
【００４７】
この方法によれば、図４の例のように、平日の夕刻に開催されるイベントに関しては、通勤や通学の経路の最寄り駅が分析対象エリアに含まれているユーザを検出することができる。また休日に開催されるイベントであれば、休日に店舗の周辺の施設を利用することが多いユーザを検出することができる。これらのユーザは、分析対象エリアへの馴染みが深く、イベントの当日も分析対象エリアを訪れる可能性が高いので、有用な情報を得たことに応じてその情報の発信元である店舗を訪れる可能性も高くなると思われる。
【００４８】
以下、図６を参照して、配信対象者を選択する処理を詳細に説明する。
この処理では、まずステップＳ１１において、先の図５の処理により設定した分析対象期間や分析対象エリアを取得する。つぎのステップＳ１２では、ユーザ別データベース１００に登録されているユーザの一人に着目し、このユーザに対してステップＳ１３，Ｓ１４，Ｓ１５を実行する。
【００４９】
ステップＳ１３では、着目中のユーザの専用フォルダに蓄積されている位置情報群の中から分析対象期間に該当する期間の位置情報を抽出する。たとえば図４の分析対象期間でいうと、過去の平日の１７時〜２０時の期間に対応する位置情報が全て抽出される。
ステップＳ１４では、抽出された位置情報を用いてユーザが分析対象エリアに入った回数および滞在時間の平均値を求める。具体的には、まずステップＳ１３で抽出された位置情報を分析対象エリア内の位置を示す情報のみに絞り込む。つぎに、絞り込まれた位置情報に含まれる時刻に基づき、各情報を時間的に連続する関係（各位置情報が示す時間の間の差が携帯端末２での位置情報のサンプリング間隔に相当する関係をいう。）にあるもの毎にグループ分けし、成立したグループの数をユーザが分析対象エリアに入った回数とする。また各グループに含まれる情報の数と位置情報のサンプリング間隔とからユーザが分析対象エリアに滞在した時間を割り出し、各時間の平均値を算出する。
【００５０】
ステップＳ１５では、ステップＳ１４の処理により導出された２つのパラメータ（分析対象エリアに入った回数および滞在時間）を、それぞれあらかじめ定めた基準値と比較するなどして、着目中のユーザを配信対象者とするかどうかを判断する。たとえば分析対象エリアに入った回数および滞在時間の平均値の双方が基準値を超えた人のみを配信対象者とすれば、店舗の周辺を訪れてある程度の時間を過ごすことが多い人を配信対象者にすることができる。
または、分析対象エリアに入った回数のみが基準値を超えた人でも、その値と基準値との差が所定値を超える場合には配信対象者に設定してもよい。このようにすれば、たとえば店舗の周辺を通過するだけであるが、その通過の頻度が高い人（日常の移動経路が店舗の周辺に入る人）を配信対象者に含めることができる。
【００５１】
以後も、各ユーザに順に着目してステップＳ１２〜Ｓ１５の処理を実行する。ただし、ステップＳ１３で分析対象期間に該当する位置情報が全く抽出されなかった場合には、ステップＳ１４およびＳ１５はスキップされる。またステップＳ１４においてユーザが分析対象エリアに入った回数が０と認定された場合には、ステップＳ１５はスキップされる。
全てのユーザに対する処理が終了したとき（ステップＳ１６が「ＹＥＳ」）、所定数の配信対象者が検出された状態となる。
【００５２】
なお、配信時刻がイベントの開始の直前に設定されている場合には、配信時刻の直前にイベント当日の分析対象期間の各配信対象者の位置情報をチェックし、実際に分析対象エリア内に入っている配信対象者のみに対象を限定してもよい。
【００５３】
また上記の実施例では、ユーザ別データベース１００に登録されている全てのユーザに着目するとしたが、居住地または職場が店舗の所在地から所定距離以内にあるユーザのみに対象を限定してもよい。また、店舗側が配信対象者に関して、年齢や性別などの条件を指定している場合には、その条件を満たすユーザに対してのみ上記の処理を実行すればよい。
【００５４】
上記図６に示した処理によれば、ユーザの日々の行動パターンから、イベントが開催される期間に対応する時間帯に店舗の周辺にいる可能性が高いユーザを抽出し、これらのユーザに対象を限定して告知情報を配信することができる。よって、告知情報を見て来店する人の数を増やすことが可能になり、来客数や売り上げの増加が見込める情報配信を行うことができる。
【００５５】
なお上記の実施例では、店舗端末３から配信リクエストを受けたことに応じて配信対象者の検索処理を実施したが、配信対象者の検索処理をあらかじめ実施して保存しておき、この保存情報を用いて配信リクエストに対応する形態での実施も考えられる。
たとえば、登録店舗毎に、その店舗の所在地に基づき少なくとも１つの分析対象エリアを設定すると共に、分析対象期間を複数の時間帯に分けて設定し、分析対象エリアと分析対象期間との組み合わせ毎に図６と同様の検索処理を行うことにより、分析対象エリアに入っている可能性の高いユーザを分析対象期間毎に分けて認識する。さらに、各ユーザの分析対象エリアに入った回数や滞在時間に基づき、配信対象者とするユーザを抽出し、図７に示すような配信対象者テーブルを作成する。この処理は、定期的（たとえば毎日の午前０時）に、前回の検索より後に取得した位置情報を追加して実施され、実施の都度、配信対象者テーブルが更新される。
【００５６】
なお、上記の定期検索を行う場合の情報提供システム１には、店舗別の配信対象者テーブルを登録するデータベースが追加されるが、これに限らず、図３に示した店舗別データベース１０１内に配信対象者テーブルを格納する領域を設定してもよい。また、定期検索の間隔は必ずしも一定である必要はなく、あらかじめ定められたルールに基づくタイミングに従って実施してもよい（たとえば所定の容量分の新規の位置情報が蓄積されたことに応じて検索を行うなど。）
【００５７】
また、図６に示した検索処理は、個々のユーザに順に着目してその移動履歴が分析対象エリアおよび分析対象期間に適合するか否かを判別するものであるが、これに限らず、各分析対象エリアに順に着目して、着目中の分析対象エリアに位置情報が含まれるユーザを抽出する方法をとってもよい。
【００５８】
図７は１つの店舗の配信対象者テーブルの例である。この例では、当該店舗からの距離が５００ｍ以内となる第１の分析対象エリア（エリアＡ）と、当該店舗からの距離が５００ｍから１ｋｍまでの範囲となる第２の分析対象エリア（エリアＢ）とが設定されると共に、店舗の営業時間を２時間単位で区分けすることにより６つの分析対象期間が設定されている。このテーブルには、エリアＡ，Ｂ毎および分析対象期間毎に配信対象者として抽出されたユーザの識別情報（図中のｕ１，ｕ２，ｕ３など）が保存される。
なお、分析対象エリアの数や広さ、分析対象期間の範囲や数は、店舗毎にその店舗の希望に応じて設定することができるが、一律に定めてもよい。
【００５９】
上記の配信対象者テーブルによれば、該当する登録店舗から配信リクエストを受け付けた場合には、そのリクエストから分析対象エリアおよび分析対象期間を割り出した後、当該店舗の検索結果テーブルから該当する識別情報を読み出すことによって、配信対象のユーザを特定し、告知情報を配信することができる。このようにすれば、イベントの直前に配信リクエストを受けた場合でも速やかに配信対象者を特定して告知情報を配信することが可能になる。
なお、配信リクエストから割り出された分析対象エリアや分析対象期間は配信対象者テーブルの設定に整合するとは限らず、テーブル内の複数のエリアや複数の分析対象期間に対応する配信対象者が読み出される場合もある。たとえば、上記図７の配信対象者テーブルに該当する店舗端末３からの配信リクエストから割り出された分析対象エリアが「店舗から１ｋｍ以内」という内容であれば、エリアＡ，Ｂの双方の登録情報を用いて配信対象者を抽出する。
【００６０】
上述した２つの実施例では、個々の店舗の店舗端末３から配信リクエストを受け付けて、そのリクエストに応じた情報配信を行うことを前提としたが、これに限らず、同じ地域に属する複数の店舗に共同の端末装置（たとえば商店街の管理事務所の端末装置）から各店舗の告知内容をまとめた配信リクエストを送信し、これに応じて複数の店舗の告知情報を含む配信を行ってもよい。この場合には、複数の店舗に共通の分析対象エリアおよび分析対象期間が設定されることになる。
また、様々な地域に店舗を持つ事業者の本部の端末装置から配信リクエストの一括送信を受け付けて、店舗毎に配信対象者を選択して告知情報を配信してもよい。
【００６１】
また配信リクエストのほか、各店舗端末３からの安値情報（値下げした商品の種類や値段などを示すもの）の提供を受け付けて、各例と同様の処理により店舗の商圏内を訪れる頻度の高いユーザを抽出し、抽出されたユーザに対して安値情報を配信することもできる。
【００６２】
また買い物メモ情報登録処理部１３が携帯端末２から受け付けた買い物メモ情報をユーザ毎に分析して、ユーザが購入しようとしている商品の種類などに基づき、各ユーザにそれぞれが志向する分野を示す情報を設定して、これをユーザ別データベース１００に登録してもよい。さらにこの登録情報を用いて、配信対象者の検索処理により抽出されたユーザのうち、配信リクエストが示すイベントの内容に志向が適合するユーザに対象を絞って告知情報を配信してもよい。たとえば図２に示した告知情報に関して言うと、午後６時から８時の時間帯に店舗の周辺にいる可能性の高いユーザのうち、ブランドものやバッグ類に関心を持つユーザに対象を絞って告知情報を配信することができる。
【００６３】
つぎに、図３に示した分析レポート作成部１８による処理について説明する。
この実施例の分析レポート作成部１８は、ユーザ別データベース１００内の位置情報や買い物メモ情報を用いて、契約店舗毎にその店舗の付近をよく訪れるユーザの動向を示すレポート情報を作成するようにしている。図８は、１つの店舗に対するレポート情報の作成に関する処理の手順を示す。以下、この図８を参照して、分析レポート作成部１８による処理の詳細を説明する。
【００６４】
まずステップＳ２１で、店舗別データベース１０１より処理対象の店舗の登録情報を読み出すと、続くステップＳ２２において、店舗の所在地を中心とする所定の範囲を分析対象エリアに設定する。この分析対象エリアは、配信対象者検索部１６により設定されるものと同じ大きさにしても良いが、より広い範囲に設定してもよい。反対に、店舗にごく近い範囲のみに限定してもよい。この分析対象エリアの設定条件も、店舗の要望に応じて設定することができ、適宜、変更することもできる。
【００６５】
ステップＳ２３では、ユーザ別データベース１００に蓄積された位置情報群を用いて、ユーザ毎に、分析対象エリアへの進入回数を導出する。具体的には、各ユーザにつき、それぞれ分析対象エリアに含まれる当該ユーザの位置情報を全て抽出し、これらの情報を時間的に連続するもの毎にグループ分けし、グループの数を進入回数とする。
【００６６】
全てのユーザの進入回数が導出されると、ステップＳ２４では、この進入回数が基準値を超えたユーザを抽出し、分析対象者に設定する。
ステップＳ２５では、店舗の営業時間をいくつかの時間帯に分け、各分析対象者が分析対象エリアに入った期間がどの時間帯に含まれるかを特定することによって、分析対象者を複数の時間帯のグループに分類する。ただし、この分類は厳密にする必要はない。たとえば、分析対象エリアに入った期間が２つの時間帯にまたがる人や、日によって時間帯が異なる人は、最も頻度が高い時間帯のグループに分類してもよいし、複数の時間帯のグループに重複させて分類してもよい。
【００６７】
ステップＳ２６では、各分析対象者について、ユーザ別データベース１００のユーザリストに登録されている情報の一部（年齢、性別など）や専用フォルダに蓄積されている買い物メモ情報を読み出し、これらを時間帯毎に分析する。
【００６８】
ステップＳ２７では、時間帯毎の分析結果をまとめたレポート情報を作成する。作成されたレポート情報は、レポート配信部１９から送信対象の店舗の店舗端末３へと送信される。
【００６９】
なお、この実施例では、分析対象の具体例として買い物メモ情報をあげたが、これに限らず、ユーザの趣味や興味を持つ分野などをあらかじめユーザ別データベース１００に登録し、これらの登録情報を分析対象としてもよい。また、ユーザ自身に、求めたい商品やサービスに関する情報を携帯端末２から送信してもらい、これらを分析してもよい。
【００７０】
上記のレポート情報の作成処理によれば、時間帯毎に、その時間帯に店舗付近をよく通過する人々の年齢層や性別の分布のほか、これらの人々がどのような商品やサービスを望んでいるかを示すレポートを作成することができる。よって、レポート情報を受け取った店舗では、その内容に基づき、品揃えを調整したり、各時間帯での値引き商品を決めるなどの方針を定めることができ、消費者のニーズに応じた販促計画を練ることができる。さらに設定された計画に基づいて、時間帯毎に告知情報を作成して配信リクエストを出すこともできる。
【００７１】
なお、レポート情報の作成も、店舗の単位に限らず、同じ地域に属する複数の契約店舗に共通のレポート情報を作成し、各契約店舗の店舗端末３にレポートを一括配信してもよい。またレポート情報を紙媒体に印刷したものを配信してもよい。
【符号の説明】
【００７２】
１    情報提供システム
２    携帯型端末装置（携帯端末）
３    店舗端末
４    位置情報管理システム
１１  ユーザ情報登録処理部
１２  位置情報登録処理部
１３  買い物メモ情報登録処理部
１４  店舗情報登録処理部
１５  配信リクエスト受付部
１６  配信対象者検索部
１７  告知情報配信部
１８  分析レポート作成部
１９  レポート配信部
１００  ユーザ別データベース
１０１  店舗別データベース
【図１】
0005573733.tif 000002
【図２】
0005573733.tif 000003
【図３】
0005573733.tif 000004
【図４】
0005573733.tif 000005
【図５】
0005573733.tif 000006
【図６】
0005573733.tif 000007
【図７】
0005573733.tif 000008
【図８】
0005573733.tif 000009